(57)【要約】【課題】  ユーザの期待通りの印刷結果を容易に得られるようにすること。【解決手段】  画像記録ユーザのユーザ識別情報を検出する画像記録ユーザ検出手段（Ｃ２）と、画質設定情報をユーザ識別情報毎に記憶する画質設定情報記憶手段（Ｃ３Ａ）と、画像記録ユーザに対応する画質設定情報に基づいて、記録用紙に画像を記録する画像記録部材（Ｐｒ１）と、記録された画像の画質についての評価を入力するための感想入力部材（ＵＩ２，ＵＩ３，ＵＩ４，ＵＩ５）と、評価を入力した感想入力ユーザのユーザ識別情報を検出する感想入力ユーザ検出手段（Ｃ６Ｄ）と、前記感想入力ユーザのユーザ識別情報と入力された評価とに基づいて、前記感想入力ユーザのユーザ識別情報に対応する前記画質設定情報を更新する画質設定情報更新手段（Ｃ３Ｄ）とを有する画像形成装置。【選択図】  図３
2006088547.tif 000002
【特許請求の範囲】
【請求項１】
下記の構成要件（Ａ01）〜（Ａ03）を備えたことを特徴とする画像形成装置、
（Ａ01）画像形成装置を使用する画像記録ユーザに対して設定された設定識別情報を検出する画像記録設定識別情報検出手段、
（Ａ02）画像を記録する際の画質の設定情報である画質設定情報を前記設定識別情報毎に記憶する画質設定情報記憶手段、
（Ａ03）前記画像記録ユーザの設定識別情報に対応する画質設定情報に基づいて、記録用紙に画像を記録する画像記録部材を制御する記録部材制御手段。
【請求項２】
下記の構成要件（Ａ04）を備えたことを特徴とする請求項１記載の画像形成装置、
（Ａ04）前記画像記録ユーザを特定するユーザ識別情報により構成された前記設定識別情報。
【請求項３】
下記の構成要件（Ａ05）を備えたことを特徴とする請求項１記載の画像形成装置、
（Ａ05）各画像記録ユーザに対して複数設定された前記設定識別情報。
【請求項４】
下記の構成要件（Ａ06）〜（Ａ08）を備えたことを特徴とする請求項１ないし３のいずれか記載の画像形成装置、
（Ａ06）記録された画像の画質についての評価を入力するための感想入力部材、
（Ａ07）前記評価を入力した感想入力ユーザに対して設定された設定識別情報を検出する感想入力設定識別情報検出手段、
（Ａ08）前記感想入力ユーザの設定識別情報と前記感想入力部材により入力された評価とに基づいて、前記感想入力ユーザの設定識別情報に対応する前記画質設定情報を更新する画質設定情報更新手段。
【請求項５】
下記の構成要件（Ａ09）を備えたことを特徴とする請求項４記載の画像形成装置、
（Ａ09）ネットワークを介して接続された情報処理装置から送信された画像データを受信して記憶する画像データ受信手段と、前記情報処理装置のユーザである前記画像記録ユーザの前記設定識別情報を受信して記憶する設定識別情報受信手段と、を有するデータ受信手段。
【請求項６】
下記の構成要件（Ａ010）を備えたことを特徴とする請求項１ないし５のいずれか記載の画像形成装置、
（Ａ010）ユーザが携帯可能な設定識別情報記録部材に記録された前記画像記録ユーザの前記設定識別情報を読み取る設定識別情報読取部材。
【請求項７】
下記の構成要件（Ａ011），（Ａ012）を備えたことを特徴とする請求項１ないし６のいずれか記載の画像形成装置、
（Ａ011）前記画像記録ユーザの前記設定識別情報に対応させて、画像記録の履歴情報である画像記録履歴情報を記憶する画像記録履歴情報記憶手段、
（Ａ012）前記画像記録履歴情報を表示器に表示する画像記録履歴情報表示手段。
【請求項８】
下記の構成要件（Ａ013）〜（Ａ015）を備えたことを特徴とする請求項１ないし７のいずれか記載の画像形成装置、
（Ａ013）前記画像記録ユーザの前記設定識別情報に応じた前記画質設定情報が、前記画質設定情報記憶手段に記憶されているか否かを検出する前記画像記録設定識別情報検出手段、
（Ａ014）標準的な画質の設定情報であるデフォルト画質設定情報を記憶するデフォルト画質設定情報記憶手段、
（Ａ015）前記画像記録ユーザの前記設定識別情報に応じた画質設定情報が登録されていない場合に、前記デフォルト画質設定情報に基づいて、前記画像記録部材を制御する前記記録部材制御手段。
【請求項９】
下記の構成要件（Ｂ01），（Ｂ02）を備えたことを特徴とする画像形成システム、
（Ｂ01）画像形成装置とネットワークを介して接続され、前記画像形成装置を使用する画像記録ユーザに対して設定された設定識別情報と、記録用紙に記録する画像のデータである画像データとを含む送信データを、前記画像形成装置に対して送信するデータ送信手段を有する情報処理装置、
（Ｂ02）前記情報処理装置から送信された前記設定識別情報及び前記画像データを受信するデータ受信手段と、
前記データ受信手段で受信した前記設定識別情報に基づいて前記画像記録ユーザの前記設定識別情報を検出する画像記録設定識別情報検出手段と、
画像を記録する際の画質の設定情報である画質設定情報を前記設定識別情報毎に記憶する画質設定情報記憶手段と、
前記画像記録ユーザの設定識別情報に対応する画質設定情報に基づいて、記録用紙に画像を記録する画像記録部材を制御する記録部材制御手段と、
記録された画像の画質についての評価を入力するための感想入力部材と、
前記評価を入力した感想入力ユーザに対して設定された設定識別情報を検出する感想入力設定識別情報検出手段と、
前記感想入力部材により入力された評価に基づいて、設定識別情報毎に前記画質設定情報記憶手段に記憶された前記画質設定情報を更新する画質設定情報更新手段と、
を有する画像形成装置。
【請求項１０】
下記の構成要件（Ｃ01），（Ｃ02）を備えたことを特徴とする画像形成システム、
（Ｃ01）画像形成装置を使用する画像記録ユーザに対して設定された設定識別情報を記録し、前記画像記録ユーザが携帯可能な設定識別情報記録部材、
（Ｃ02）前記設定識別情報記録部材に記録された前記設定識別情報を読み取る設定識別情報読取部材と、
前記設定識別情報読取部材で読取った設定識別情報に基づいて、前記画像記録ユーザの前記設定識別情報を検出する画像記録設定識別情報検出手段と、
画像を記録する際の画質の設定情報である画質設定情報を前記設定識別情報毎に記憶する画質設定情報記憶手段と、
前記画像記録設定識別情報検出手段で検出された前記画像記録ユーザの前記設定識別情報に対応する画質設定情報に基づいて、記録用紙に画像を記録する画像記録部材を制御する記録部材制御手段と、
記録された画像の画質についての評価を入力するための感想入力部材と、
前記評価を入力した感想入力ユーザに対して設定された設定識別情報を検出する感想入力設定識別情報検出手段と、
前記感想入力部材により入力された評価に基づいて、設定識別情報毎に前記画質設定情報記憶手段に記憶された前記画質設定情報を更新する画質設定情報更新手段と、
を有する画像形成装置。
【発明の詳細な説明】
【技術分野】
【０００１】
本発明は、プリンタ、ＦＡＸ、複写機等の画像形成装置及び前記画像形成装置を有する画像形成システムに関し、特に、画像形成装置を使用して画像記録を行う場合の画像記録設定を特定する設定識別情報を受信可能な画像形成装置に関する。
【背景技術】
【０００２】
従来のプリンタ、ＦＡＸ、複写機等の画像形成装置において、印刷される画像について、ユーザが画質（濃度や色合い等）を設定することができるように構成された画像形成装置が存在する。
前記ユーザが画質を設定可能な技術として、下記の従来技術（Ｊ01）が公知である。
（Ｊ01）特許文献１（特開２００３−２６０８４６号公報）記載の技術
特許文献１には、印刷を実行する前に操作パネル（３）を使用して印刷枚数や印刷画質等の条件を設定し、印刷開始スイッチ（１９）を押されると設定条件に基づいて印刷が実行される技術が記載されている。
また、画像データが記録されたメモリーカード（１４）に予め画質調整情報（４６）を記録しておき、前記画質調整情報（４６）に基づいて印刷を実行する技術も記載されている。
【０００３】
【特許文献１】特開平５−１８１３８８号公報（「００２３」〜「００６９」、第１図〜第９図）
【発明の開示】
【発明が解決しようとする課題】
【０００４】
（従来技術の問題点）
前記従来技術（Ｊ01）では、操作パネルを使用する場合であっても、メモリーカードに予め記録させておく場合であっても、画像が印刷される前に印刷条件の設定を行わなければならない。前記印刷前にユーザが設定した印刷条件で印刷された画像が、ユーザの予想や期待とは異なる印刷結果となる場合がある。印刷結果が期待通りでない場合に、その場で印刷条件を再設定して印刷すれば、ユーザの期待通りの印刷結果を得ることができる場合がある。しかし、その場で印刷条件を再設定して再度印刷することは記録用紙の無駄が発生し、操作も面倒であるため、印刷結果に不満があってもその場はあきらめ、次回の印刷で設定を変更することを考えるユーザが多い。
しかしながら、次の印刷を実行する時に、前回印刷時に不満があって設定を変更しようとしても、前回印刷時の画質設定をユーザが思い出せないという事態が、しばしば発生する。また、ユーザが設定を変更して満足する印刷結果を得ても、次回の印刷時に、満足する印刷結果を得た画質設定をユーザが思い出せない場合もある。前回の画質設定が思い出せない場合、ユーザが前回と同じ間違いを繰り返したり、設定を間違えて前回よりも悪い画質設定で印刷されてしまう可能性がある。したがって、前記従来技術（Ｊ01）では、ユーザにとって不満の残る印刷結果を繰り返し得てしまうことがあり、ユーザの期待通りの満足する印刷結果を得ることが困難であるという問題がある。
【０００５】
本発明は、前述の事情に鑑み、次の記載内容（Ｏ01）を技術的課題とする。
（Ｏ01）ユーザの期待通りの印刷結果を容易に得られるようにすること。
【課題を解決するための手段】
【０００６】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００７】
（第１発明）
前記技術的課題を解決するために、第１発明の画像形成装置は、下記の構成要件（Ａ01）〜（Ａ03）を備えたことを特徴とする。
（Ａ01）画像形成装置（Ｐｒ，Ｕ）を使用する画像記録ユーザに対して設定された設定識別情報を検出する画像記録設定識別情報検出手段（Ｃ２，Ｃ２′）、
（Ａ02）画像を記録する際の画質の設定情報である画質設定情報を前記ユーザ識別情報毎に記憶する画質設定情報記憶手段（Ｃ３Ａ）、
（Ａ03）前記画像記録ユーザの設定識別情報に対応する画質設定情報に基づいて、記録用紙に画像を記録する画像記録部材（Ｐｒ１）を制御する記録部材制御手段（Ｃ４）。
【０００８】
（第１発明の作用）
前記構成要件（Ａ01）〜（Ａ03）を備えた第１発明の画像形成装置では、画像記録設定識別情報検出手段（Ｃ２，Ｃ２′）は、画像形成装置（Ｐｒ，Ｕ）を使用する画像記録ユーザに対して設定された設定識別情報を検出する。画質設定情報記憶手段（Ｃ３Ａ）は、画像を記録する際の画質の設定情報である画質設定情報を前記ユーザ識別情報毎に記憶する。記録部材制御手段（Ｃ４）は、前記画像記録ユーザの設定識別情報に対応する画質設定情報に基づいて、記録用紙に画像を記録する画像記録部材（Ｐｒ１）を制御する。
【０００９】
（第１発明の形態１）
第１発明の形態１の画像形成装置は、前記第１発明において、下記の構成要件（Ａ04）を備えたことを特徴とする。
（Ａ04）前記画像記録ユーザを特定するユーザ識別情報により構成された前記設定識別情報。
（第１発明の形態１の作用）
前記構成要件（Ａ04）を備えた第１発明の形態１の画像形成装置では、前記設定識別情報は、前記画像記録ユーザを特定するユーザ識別情報により構成されている。したがって、ユーザ識別情報毎に画質設定情報が記憶されている。
【００１０】
（第１発明の形態２）
第１発明の形態２の画像形成装置は、前記第１発明において、下記の構成要件（Ａ05）を備えたことを特徴とする。
（Ａ05）各画像記録ユーザに対して複数設定された前記設定識別情報。
（第１発明の形態２の作用）
前記構成要件（Ａ05）を備えた第１発明の形態２の画像形成装置では、前記設定識別情報は、各画像記録ユーザに対して複数設定されている。したがって、各画像記録ユーザに対して、画質設定情報が複数記憶されており、画像記録ユーザが画質設定情報を選択することができる。
【００１１】
（第１発明の形態３）
第１発明の形態３の画像形成装置は、前記第１発明及び第１発明の形態１、２のいずれかにおいて、下記の構成要件（Ａ06）〜（Ａ08）を備えたことを特徴とする。
（Ａ06）記録された画像の画質についての評価を入力するための感想入力部材（ＵＩ２，ＵＩ３，ＵＩ４，ＵＩ５）、
（Ａ07）前記評価を入力した感想入力ユーザに対して設定された設定識別情報を検出する感想入力設定識別情報検出手段（Ｃ６Ｄ）、
（Ａ08）前記感想入力ユーザの設定識別情報と前記感想入力部材（ＵＩ２，ＵＩ３，ＵＩ４，ＵＩ５）により入力された評価とに基づいて、前記感想入力ユーザの設定識別情報に対応する前記画質設定情報を更新する画質設定情報更新手段（Ｃ３Ｄ）。
【００１２】
（第１発明の形態３の作用）
前記構成要件（Ａ06）〜（Ａ08）を備えた第１発明の形態３の画像形成装置では、感想入力部材（ＵＩ２，ＵＩ３，ＵＩ４，ＵＩ５）により、記録された画像の画質についての評価が入力される。感想入力設定識別情報検出手段（Ｃ６Ｄ）は、前記評価を入力した感想入力ユーザに対して設定された設定識別情報を検出する。画質設定情報更新手段（Ｃ３Ｄ）は、前記感想入力ユーザの設定識別情報と前記感想入力部材（ＵＩ２，ＵＩ３，ＵＩ４，ＵＩ５）により入力された評価とに基づいて、前記感想入力ユーザの設定識別情報に対応する前記画質設定情報を更新する。
【００１３】
（第１発明の形態４）
第１発明の形態４の画像形成装置は、前記第１発明及び第１発明の形態１〜３のいずれかにおいて、下記の構成要件（Ａ09）を備えたことを特徴とする。
（Ａ09）ネットワーク（ＬＮ）を介して接続された情報処理装置（ＰＣ１，ＰＣ２，ＤＢＳ，ＷＳ）から送信された画像データを受信して記憶する画像データ受信手段（Ｃ１Ｂ）と、前記情報処理装置（ＰＣ１，ＰＣ２，ＤＢＳ，ＷＳ）のユーザである前記画像記録ユーザの前記設定識別情報を受信して記憶する前記設定識別情報受信手段（Ｃ１Ａ）と、を有するデータ受信手段（Ｃ１）。
【００１４】
（第１発明の形態４の作用）
前記構成要件（Ａ09）を備えた第１発明の形態４の画像形成装置では、データ受信手段（Ｃ１）の画像データ受信手段（Ｃ１Ｂ）は、ネットワーク（ＬＮ）を介して接続された情報処理装置（ＰＣ１，ＰＣ２，ＤＢＳ，ＷＳ）から送信された画像データを受信して記憶する。前記設定識別情報受信手段（Ｃ１Ａ）は、前記情報処理装置（ＰＣ１，ＰＣ２，ＤＢＳ，ＷＳ）のユーザである前記画像記録ユーザの前記設定識別情報を受信して記憶する。
【００１５】
（第１発明の形態５）
第１発明の形態５の画像形成装置は、前記第１発明及び第１発明の形態１〜４のいずれかにおいて、下記の構成要件（Ａ010）を備えたことを特徴とする。
（Ａ010）ユーザが携帯可能な設定識別情報記録部材（ＩＤＣ）に記録された前記画像記録ユーザの前記設定識別情報を読み取る設定識別情報読取部材（Ｕ４）。
（第１発明の形態５の作用）
前記構成要件（Ａ010）を備えた第１発明の形態５の画像形成装置では、設定識別情報読取部材（Ｕ４）は、ユーザが携帯可能な設定識別情報記録部材（ＩＤＣ）に記録された前記画像記録ユーザの前記設定識別情報を読み取る。
【００１６】
（第１発明の形態６）
第１発明の形態６の画像形成装置は、前記第１発明及び第１発明の形態１〜５のいずれかにおいて、下記の構成要件（Ａ011），（Ａ012）を備えたことを特徴とする。
（Ａ011）前記画像記録ユーザの前記設定識別情報に対応させて、画像記録の履歴情報である画像記録履歴情報を記憶する画像記録履歴情報記憶手段（Ｃ５Ａ）、
（Ａ012）前記画像記録履歴情報を表示器（ＵＩ１）に表示する画像記録履歴情報表示手段（Ｃ６Ｃ）。
（第１発明の形態６の作用）
前記構成要件（Ａ011），（Ａ012）を備えた第１発明の形態６の画像形成装置では、画像記録履歴情報記憶手段（Ｃ５Ａ）は、前記画像記録ユーザの前記設定識別情報に対応させて、画像記録の履歴情報である画像記録履歴情報を記憶する。画像記録履歴情報表示手段（Ｃ６Ｃ）は、前記画像記録履歴情報を表示器（ＵＩ１）に表示する。
【００１７】
（第１発明の形態７）
第１発明の形態７の画像形成装置は、前記第１発明及び第１発明の形態１〜６のいずれかにおいて、下記の構成要件（Ａ013）〜（Ａ015）を備えたことを特徴とする。
（Ａ013）前記画像記録ユーザの前記設定識別情報に応じた前記画質設定情報が、前記画質設定情報記憶手段（Ｃ３Ａ）に記憶されているか否かを検出する前記画像記録設定識別情報検出手段（Ｃ２，Ｃ２′）、
（Ａ014）標準的な画質の設定情報であるデフォルト画質設定情報を記憶するデフォルト画質設定情報記憶手段（Ｃ３Ｂ）、
（Ａ015）前記画像記録ユーザの前記設定識別情報に応じた画質設定情報が登録されていない場合に、前記デフォルト画質設定情報に基づいて、前記画像記録部材（Ｐｒ１）を制御する前記記録部材制御手段（Ｃ４）。
【００１８】
（第１発明の形態７の作用）
前記構成要件（Ａ013）〜（Ａ015）を備えた第１発明の形態７の画像形成装置では、前記画像記録設定識別情報検出手段（Ｃ２，Ｃ２′）は、前記画像記録ユーザの前記設定識別情報に応じた前記画質設定情報が、前記画質設定情報記憶手段（Ｃ３Ａ）に記憶されているか否かを検出する。デフォルト画質設定情報記憶手段（Ｃ３Ｂ）は、標準的な画質の設定情報であるデフォルト画質設定情報を記憶する。前記記録部材制御手段（Ｃ４）は、前記画像記録ユーザの前記設定識別情報に応じた画質設定情報が登録されていない場合に、前記デフォルト画質設定情報に基づいて、前記画像記録部材（Ｐｒ１）を制御する。
【００１９】
（第２発明）
前記技術的課題を解決するために、第２発明の画像形成システムは、下記の構成要件（Ｂ01），（Ｂ02）を備えたことを特徴とする。
（Ｂ01）画像形成装置（Ｐｒ，Ｕ）とネットワーク（ＬＮ）を介して接続され、前記画像形成装置（Ｐｒ，Ｕ）を使用する画像記録ユーザに対して設定された設定識別情報と、記録用紙に記録する画像のデータである画像データとを含む送信データを、前記画像形成装置（Ｐｒ，Ｕ）に対して送信するデータ送信手段（ＰＤ３）を有する情報処理装置（ＰＣ１，ＰＣ２，ＤＢＳ，ＷＳ）、
（Ｂ02）前記情報処理装置（ＰＣ１，ＰＣ２，ＤＢＳ，ＷＳ）から送信された前記設定識別情報及び前記画像データを受信するデータ受信手段（Ｃ１）と、
前記データ受信手段（Ｃ１）で受信した前記設定識別情報に基づいて前記画像記録ユーザの前記設定識別情報を検出する画像記録設定識別情報検出手段（Ｃ２，Ｃ２′）と、
画像を記録する際の画質の設定情報である画質設定情報を前記設定識別情報毎に記憶する画質設定情報記憶手段（Ｃ３Ａ）と、
前記画像記録ユーザの設定識別情報に対応する画質設定情報に基づいて、記録用紙に画像を記録する画像記録部材（Ｐｒ１）を制御する記録部材制御手段（Ｃ４）と、
記録された画像の画質についての評価を入力するための感想入力部材（ＵＩ２，ＵＩ３，ＵＩ４，ＵＩ５）と、
前記評価を入力した感想入力ユーザに対して設定された設定識別情報を検出する感想入力設定識別情報検出手段（Ｃ６Ｄ）と、
前記感想入力部材（ＵＩ２，ＵＩ３，ＵＩ４，ＵＩ５）により入力された評価に基づいて、設定識別情報毎に前記画質設定情報記憶手段（Ｃ３Ａ）に記憶された前記画質設定情報を更新する画質設定情報更新手段（Ｃ３Ｄ）と、
を有する画像形成装置（Ｐｒ，Ｕ）。
【００２０】
（第２発明の作用）
前記構成要件（Ｂ01），（Ｂ02）を備えた第２発明の画像形成システムでは、情報処理装置（ＰＣ１，ＰＣ２，ＤＢＳ，ＷＳ）は、画像形成装置（Ｐｒ，Ｕ）とネットワーク（ＬＮ）を介して接続されている。前記情報処理装置（ＰＣ１，ＰＣ２，ＤＢＳ，ＷＳ）のデータ送信手段（ＰＤ３）は、前記画像形成装置（Ｐｒ，Ｕ）に対して、前記画像形成装置（Ｐｒ，Ｕ）を使用する画像記録ユーザに対して設定された設定識別情報と、記録用紙に記録する画像のデータである画像データとを含む送信データを送信する。画像形成装置（Ｐｒ，Ｕ）のデータ受信手段（Ｃ１）は、前記情報処理装置（ＰＣ１，ＰＣ２，ＤＢＳ，ＷＳ）から送信された前記設定識別情報及び前記画像データを受信する。画像記録設定識別情報検出手段（Ｃ２，Ｃ２′）は、前記データ受信手段（Ｃ１）で受信した前記設定識別情報に基づいて前記画像記録ユーザの前記設定識別情報を検出する。
【００２１】
画質設定情報記憶手段（Ｃ３Ａ）は、画像を記録する際の画質の設定情報である画質設定情報を前記設定識別情報毎に記憶する。記録部材制御手段（Ｃ４）は、前記画像記録ユーザの設定識別情報に対応する画質設定情報に基づいて、記録用紙に画像を記録する画像記録部材（Ｐｒ１）を制御する。感想入力部材（ＵＩ２，ＵＩ３，ＵＩ４，ＵＩ５）により、記録された画像の画質についての評価が入力される。感想入力設定識別情報検出手段（Ｃ６Ｄ）は、前記評価を入力した感想入力ユーザに対して設定された設定識別情報を検出する。画質設定情報更新手段（Ｃ３Ｄ）は、前記感想入力部材（ＵＩ２，ＵＩ３，ＵＩ４，ＵＩ５）により入力された評価に基づいて、設定識別情報毎に前記画質設定情報記憶手段（Ｃ３Ａ）に記憶された前記画質設定情報を更新する。
【００２２】
（第３発明）
前記技術的課題を解決するために、第３発明の画像形成システムは、下記の構成要件（Ｃ01），（Ｃ02）を備えたことを特徴とする。
（Ｃ01）画像形成装置（Ｐｒ，Ｕ）を使用する画像記録ユーザに対して設定された設定識別情報を記録し、前記画像記録ユーザが携帯可能な設定識別情報記録部材（ＩＤＣ）、
（Ｃ02）前記設定識別情報記録部材（ＩＤＣ）に記録された前記設定識別情報を読み取る設定識別情報読取部材（Ｕ４）と、
前記設定識別情報読取部材（Ｕ４）で読取った設定識別情報に基づいて、前記画像記録ユーザの前記設定識別情報を検出する画像記録設定識別情報検出手段（Ｃ２，Ｃ２′）と、
画像を記録する際の画質の設定情報である画質設定情報を前記設定識別情報毎に記憶する画質設定情報記憶手段（Ｃ３Ａ）と、
前記画像記録設定識別情報検出手段（Ｃ２，Ｃ２′）で検出された前記画像記録ユーザの前記設定識別情報に対応する画質設定情報に基づいて、記録用紙に画像を記録する画像記録部材（Ｐｒ１）を制御する記録部材制御手段（Ｃ４）と、
記録された画像の画質についての評価を入力するための感想入力部材（ＵＩ２，ＵＩ３，ＵＩ４，ＵＩ５）と、
前記評価を入力した感想入力ユーザに対して設定された設定識別情報を検出する感想入力設定識別情報検出手段（Ｃ６Ｄ）と、
前記感想入力部材（ＵＩ２，ＵＩ３，ＵＩ４，ＵＩ５）により入力された評価に基づいて、設定識別情報毎に前記画質設定情報記憶手段（Ｃ３Ａ）に記憶された前記画質設定情報を更新する画質設定情報更新手段（Ｃ３Ｄ）と、
を有する画像形成装置（Ｐｒ，Ｕ）。
【００２３】
（第３発明の作用）
前記構成要件（Ｃ01），（Ｃ02）を備えた第３発明の画像形成システムでは、前記画像記録ユーザが携帯可能な設定識別情報記録部材（ＩＤＣ）は、画像形成装置（Ｐｒ，Ｕ）を使用する画像記録ユーザに対して設定された設定識別情報を記録する。画像形成装置（Ｐｒ，Ｕ）の設定識別情報読取部材（Ｕ４）は、前記設定識別情報記録部材（ＩＤＣ）に記録された前記設定識別情報を読み取る。画像記録設定識別情報検出手段（Ｃ２，Ｃ２′）は、前記設定識別情報読取部材（Ｕ４）で読取った設定識別情報に基づいて、前記画像記録ユーザの前記設定識別情報を検出する。画質設定情報記憶手段（Ｃ３Ａ）は、画像を記録する際の画質の設定情報である画質設定情報を前記設定識別情報毎に記憶する。
【００２４】
記録部材制御手段（Ｃ４）は、前記画像記録設定識別情報検出手段（Ｃ２，Ｃ２′）で検出された前記画像記録ユーザの前記設定識別情報に対応する画質設定情報に基づいて、記録用紙に画像を記録する画像記録部材（Ｐｒ１）を制御する。感想入力部材（ＵＩ２，ＵＩ３，ＵＩ４，ＵＩ５）により記録された画像の画質についての評価が入力される。感想入力設定識別情報検出手段（Ｃ６Ｄ）は、前記評価を入力した感想入力ユーザに対して設定された設定識別情報を検出する。画質設定情報更新手段（Ｃ３Ｄ）は、前記感想入力部材（ＵＩ２，ＵＩ３，ＵＩ４，ＵＩ５）により入力された評価に基づいて、設定識別情報毎に前記画質設定情報記憶手段（Ｃ３Ａ）に記憶された前記画質設定情報を更新する。
【発明の効果】
【００２５】
前述の本発明は、下記の効果（Ｅ01）を奏する。
（Ｅ01）画像形成装置を使用するユーザが、前回印刷時の画質設定を思い出せず同じミスを繰り返すこと等を低減でき、ユーザの期待通りの印刷結果を容易に得ることができる。
【発明を実施するための最良の形態】
【００２６】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２７】
図１は本発明の画像形成システムの実施例１の説明図である。
図１において、画像形成システムＳは、電子写真方式のデジタルカラープリンタ（画像処理装置）Ｐｒを有し、前記プリンタＰｒには、ローカルネットワークＬＮを介して、複数のクライアントパソコン（情報処理装置）ＰＣ、ワークステーション（情報処理装置）ＷＳ、データベースサーバ（情報処理装置）ＤＢＳ等が接続されている。
【００２８】
前記クライアントパソコンＰＣ、ワークステーションＷＳ、データベースサーバＤＢＳ等は、それぞれ、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
前記プリンタＰｒは、給紙用の印刷用紙が収容される複数の給紙トレイＴＲ及び手差しトレイＴＲ０と、画像が記録された印刷用紙が排紙される排紙トレイＴＲｈ１、ＴＲｈ２とを有している。
【００２９】
（クライアントパソコンＰＣ等の機能）
図２は前記図１に示す画像形成システムのクライアントパソコンの機能をブロック図（機能ブロック図）で示した図である。
次に、クライアントパソコンＰＣやワークステーションＷＳ、データベースサーバＤＢＳが有する機能を説明するが、クライアントパソコンＰＣ、ワークステーションＷＳ及びデータベースサーバＤＢＳは、同様の機能を有しているので、クライアントパソコンＰＣのみについて詳細に説明し、ワークステーションＷＳ及びデータベースサーバＤＢＳについての説明は省略する。
【００３０】
図２において、クライアントパソコンＰＣのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のクライアントパソコンＰＣは、前記ハードディスクやＲＯＭ等に記憶されたプログラムを実行することにより種々の機能を実現することができる。
【００３１】
前記クライアントパソコンＰＣの前記ハードディスクドライブには、キーボードＨ３やマウスＨ４等からの入力に応じて処理を行い、ディスプレイＨ２に表示を行うワープロソフトや画像処理ソフト等のアプリケーションプログラムＡＰや、アプリケーションプログラムＡＰから送信された印刷用の画像データをプリンタＰｒに送信するため画像データ送信プログラム（プリンタドライバ）ＰＤが記憶されている。前記画像データ送信プログラムＰＤは、次の各機能実現手段（プログラムモジュール）を有している。
【００３２】
（画像データ送信プログラムＰＤの機能）
ＰＤ１：ユーザ識別情報記憶手段（設定識別情報記憶手段）
ユーザ識別情報記憶手段ＰＤ１は、クライアントパソコンＰＣを使用しているユーザを特定するユーザ識別情報、すなわち、画像形成装置を使用する画像記録ユーザに対して設定されたユーザ識別情報（設定識別情報）を記憶する。実施例１のユーザ識別情報記憶手段ＰＤ１は、ユーザ識別情報として、ローカルネットワークＬＮ上の装置識別情報（ネットワークＩＤ）を記憶している。なお、実施例１では、ユーザ識別情報として装置識別情報を使用したが、これに限定されず、ログインしているユーザ名や、ＩＰアドレス等、印刷（画像記録）を実行するユーザ（画像記録ユーザ）を特定できる識別情報であれば、任意の識別情報を使用することが可能である。また、実施例１の画像形成システムでは、画像記録ユーザを特定するユーザ識別情報を設定識別情報として使用したが、各ユーザに対して、複数の設定識別情報（例えば、「文書印刷用設定」や「写真印刷用設定」等）を記憶し、ユーザが、画像データを送信する際に、いずれかの設定識別情報を選択して画像記録を行うことも可能である。
【００３３】
ＰＤ２：送信データ作成手段
送信データ作成手段ＰＤ２は、アプリケーションプログラムＡＰから送信された印刷対象の画像データと、前記ユーザ識別情報と、画像データのデータ識別情報（ファイル名）を含み、プリンタＰｒに送信するプリントデータ（送信データ）を作成する。
ＰＤ３：データ送信手段
データ送信手段ＰＤ３は、前記送信データ作成手段ＰＤ２により作成されたプリントデータをプリンタＰｒに対して送信する。
【００３４】
（プリンタＰｒの機能）
図３は前記図１に示す実施例１の画像形成システムのプリンタの機能をブロック図（機能ブロック図）で示した図である。
図３において、プリンタＰｒのコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ＲＡＭまたはＲＯＭに記憶されたプログラムに応じた処理を行うＣＰＵ（中央演算処理装置）、ならびにクロック発振器等を有するマイクロコンピュータにより構成されている。前記プリンタＰｒのコントローラＣは、前記ハードディスクドライブ、ＲＡＭまたはＲＯＭに記憶されたプログラムを実行することにより種々の機能を実現することができる。
【００３５】
（コントローラＣに接続された信号出力要素）
コントローラＣには、ユーザインタフェースＵＩ等の信号出力要素から出力された信号が入力される。
ユーザインタフェースＵＩは、表示器ＵＩ１、感想入力開始キー（感想入力部材）ＵＩ２、選択キー（十字キー、感想入力部材）ＵＩ３、決定キー（感想入力部材）ＵＩ４、キャンセルキー（感想入力部材）ＵＩ５等を有する。
（コントローラＣに接続された被制御要素）
前記コントローラＣは、次の被制御要素へ制御信号を出力する。
画像記録部材Ｐｒ１は、プリンタＰｒ内部に配置された図示しない感光体や帯電器、潜像形成装置（ＲＯＳ）、現像器、転写器、定着器等を有し、受信した画像データに応じた画像（フルカラー画像またはモノクロ画像）を記録用紙に記録（印刷）する。
【００３６】
（コントローラＣの機能）
図３において、前記コントローラＣは、前記各信号出力要素からの出力信号に応じた処理を実行して、前記各制御要素に制御信号を出力する機能を実現するプログラム（機能実現手段）を有している。前記コントローラＣの各種機能を実現するプログラム（機能実現手段）を次に説明する。
Ｃ１：データ受信手段
データ受信手段Ｃ１は、ユーザ識別情報受信手段Ｃ１Ａと、画像データ受信手段Ｃ１Ｂとを有し、前記クライアントパソコンＰＣ等から送信されたプリントデータ（送信データ）を受信する。
【００３７】
Ｃ１Ａ：ユーザ識別情報受信手段（設定識別情報受信手段）
ユーザ識別情報受信手段Ｃ１Ａは、前記クライアントパソコンＰＣ等から送信されたプリントデータに含まれるユーザ識別情報（設定識別情報）を受信し、記憶する。
Ｃ１Ｂ：画像データ受信手段
画像データ受信手段Ｃ１Ｂは、前記クライアントパソコンＰＣ等から送信されたプリントデータに含まれる画像データを受信し、記憶する。
Ｃ２：画像記録ユーザ検出手段（画像記録設定識別情報検出手段）
画像記録ユーザ検出手段Ｃ２は、画像記録（プリント）を行う画像記録ユーザのユーザ識別情報（設定識別情報）を検出する。実施例１の画像記録ユーザ検出手段Ｃ２は、受信したプリントデータに含まれるユーザ識別情報が、後述する登録ユーザ識別情報記憶手段（Ｃ３Ａ１）に記憶（登録）されているか否かを検出する。
【００３８】
Ｃ３：画質設定情報管理手段
画質設定情報管理手段Ｃ３は、画質設定情報リスト記憶手段Ｃ３Ａと、デフォルト画質設定情報記憶手段Ｃ３Ｂと、画質設定情報新規登録手段Ｃ３Ｃと、画質設定情報更新手段Ｃ３Ｄとを有する。そして、画質設定情報管理手段Ｃ３は、印刷を実行する際の画質の設定情報である画質設定情報の記憶、新規登録、更新等の管理を行う。
【００３９】
Ｃ３Ａ：画質設定情報記憶手段
画質設定情報記憶手段Ｃ３Ａは、過去に画像記録が行われたユーザのユーザ識別情報を記憶する登録ユーザ識別情報記憶手段Ｃ３Ａ１を有し、登録された（記憶された）ユーザ識別情報（設定識別情報）毎に、画像を記録する際の画質の設定情報である画質設定情報を記憶する。実施例１の画質設定情報記憶手段Ｃ３Ａは、ユーザ識別情報と前記ユーザ識別情報に対応する画質設定情報をリスト化した画質設定情報リストを記憶する。また、実施例１の画質設定情報記憶手段Ｃ３Ａでは、前記画質設定情報は、画像の明るさとカラーバランスを設定できるようになっている。即ち、実施例１の画質設定情報は、画像全体の濃度（明るさ）、イエロー（Ｙ）の濃さ、マゼンタ（Ｍ）の濃さ、シアン（Ｃ）の濃さ、及び、黒（Ｋ）の濃さの５つの設定可能な画質条件を有し、各画質条件を「−５〜−１，０，＋１〜＋５」の１１段階で設定できるようになっている。
【００４０】
Ｃ３Ｂ：デフォルト画質設定情報記憶手段
デフォルト画質設定情報記憶手段Ｃ３Ｂは、標準的な画質の設定情報であるデフォルト画質設定情報を記憶する。実施例１のデフォルト画質設定情報記憶手段Ｃ３Ｂは、デフォルト画質設定情報として、前記各画質条件の設定値が全て「０」を記憶している。
Ｃ３Ｃ：画質設定情報新規登録手段
画質設定情報新規登録手段Ｃ３Ｃは、受信したユーザ識別情報が前記登録ユーザ識別情報記憶手段Ｃ３Ａ１に登録されていない場合に、前記受信したユーザ識別情報に前記デフォルト画質設定情報を対応させて、画質設定情報リストに新規に登録する。
【００４１】
Ｃ３Ｄ：画質設定情報更新手段
画質設定情報更新手段Ｃ３Ｄは、記録された画質の評価（感想）を入力する感想入力ユーザにより入力された評価に応じて、感想入力ユーザのユーザ識別情報に対応する画質設定情報を更新する。
Ｃ４：プリント制御手段（記録部材制御手段）
プリント制御手段Ｃ４は、画質設定条件に応じて、画像記録部材Ｐｒ１を制御して、記録用紙に画像を記録する。即ち、各色の画像を形成する際に、帯電器の帯電バイアス、ＲＯＳから出射されるレーザービームの強度、現像器の現像バイアス等を制御して、画質設定条件に応じた画像を形成し、記録用紙に記録する。
【００４２】
Ｃ５：プリント履歴情報管理手段
プリント履歴情報管理手段Ｃ５は、プリント履歴情報記憶手段Ｃ５Ａと、プリント履歴情報更新手段Ｃ５Ｂとを有し、終了した画像記録（プリント）の履歴情報であるプリント履歴情報（画像記録履歴情報）の記憶、更新等の管理を行う。
Ｃ５Ａ：プリント履歴情報記憶手段（画像記録履歴情報記憶手段）
プリント履歴情報記憶手段Ｃ５Ａは、画像記録ユーザのユーザ識別情報に対応させて、前記プリント履歴情報を記憶する。実施例１のプリント履歴情報記憶手段Ｃ５Ａは、前記ユーザ識別情報に画像記録を行った画像データのデータ識別情報（ファイル名）を対応させたプリント履歴情報を、リスト化したプリント履歴情報リストを記憶する。
【００４３】
Ｃ５Ｂ：プリント履歴情報更新手段（画像記録履歴情報更新手段）
プリント履歴情報更新手段Ｃ５Ｂは、受信した画像データの画像記録が終了した時点で、画像記録が終了した受信データのユーザ識別情報とデータ識別情報とからなるプリント履歴情報を前記プリント履歴情報リストに追加登録して、プリント履歴情報リストを更新する。また、実施例１のプリント履歴情報更新手段Ｃ５Ｂは、プリント履歴情報リストに登録されたいずれかのプリント履歴情報のユーザ識別情報が感想入力ユーザのユーザ識別情報として検出され、評価（感想）が入力されると、感想入力ユーザのユーザ識別情報に対応するプリント履歴情報をプリント履歴情報リストから削除して、プリント履歴情報リストを更新する。
【００４４】
図４は実施例１の表示器に表示される画像の説明図であり、図４Ａは待機中画像の説明図、図４Ｂはプリント中画像の説明図、図４Ｃはプリント履歴情報画像の説明図、図４Ｄは感想入力画像の説明図、図４Ｅは図４Ｄの感想入力画像をスクロールさせた状態の説明図、図４Ｆは図４Ｄの感想入力画像においてユーザが感想を入力した状態の説明図である。
Ｃ６：表示器制御手段
表示器制御手段Ｃ６は、待機中画像表示手段Ｃ６Ａと、プリント中画像表示手段Ｃ６Ｂと、プリント履歴情報表示手段Ｃ６Ｃと、感想入力ユーザ検出手段Ｃ６Ｄと、感想入力画像表示手段Ｃ６Ｅとを有し、ユーザインタフェースＵＩの表示器ＵＩ１を制御して、画像（図４Ａ〜図４Ｆ参照）を表示する。
【００４５】
Ｃ６Ａ：待機中画像表示手段
待機中画像表示手段Ｃ６Ａは、プリント動作（画像記録動作）を実行していない待機中に、待機中画像（図４Ａ参照）を表示器ＵＩ１に表示する。
Ｃ６Ｂ：プリント中画像表示手段
プリント中画像表示手段Ｃ６Ｂは、プリントデータを受信し、プリント（画像記録）が開始されると、表示器ＵＩ１にプリント中画像（図４Ｂ参照）を表示する。図４Ｂにおいて、実施例１のプリント中画像には、プリント動作（画像記録動作）を実行中である旨の表示と、プリント動作が実行されているプリントデータのユーザ識別情報と、データ識別情報（ファイル名）とが表示される。
【００４６】
Ｃ６Ｃ：プリント履歴情報表示手段（画像記録履歴情報表示手段）
プリント履歴情報表示手段Ｃ６Ｃは、前記待機中に感想入力開始キーＵＩ２の入力がされた場合に、前記プリント履歴情報のリストであるプリント履歴情報リストを示すプリント履歴情報画像（図４Ｃ参照）を表示器ＵＩ１に表示する。図４Ｃにおいて、プリント履歴情報画像には、ユーザ識別情報（「ＵｓｅｒＡ」、「ＵｓｅｒＢ」、「ＵｓｅｒＣ」）と、データ識別情報（「ｆｉｌｅｎａｍｅＡ」、「ｆｉｌｅｎａｍｅＢ」、「ｆｉｌｅｎａｍｅＣ」）とが表示される。そして、前記図４Ｃに示すプリント履歴情報画像では、現在選択されているプリント履歴情報（ユーザ識別情報及びデータ識別情報）がハイライト表示（図４Ｃのパターンニング参照）されている。なお、図４Ｃにおいて、プリント履歴情報画像には、最新のプリント履歴情報が３つしか表示されていないが、選択キーＵＩ３の上下の入力がされると、プリント履歴情報表示手段Ｃ６Ｃは、プリント履歴情報画像をスクロールさせて、前記最新の３つ以外のプリント履歴情報を順次表示する。
【００４７】
Ｃ６Ｄ：感想入力ユーザ検出手段（感想入力設定識別情報検出手段）
感想入力ユーザ検出手段Ｃ６Ｄは、記録された画質についての評価を入力する感想入力ユーザのユーザ識別情報を検出する。実施例１の感想入力ユーザ検出手段Ｃ６Ｄは、前記プリント履歴情報画像（図４Ｃ）において、決定キーＵＩ４が入力された場合に、その時点で選択されていた（ハイライト表示されていた）プリント履歴情報のユーザ識別情報を感想入力ユーザのユーザ識別情報（設定識別情報）として検出する。
Ｃ６Ｅ：感想入力画像表示手段
感想入力画像表示手段Ｃ６Ｅは、感想入力ユーザが画質についての評価（感想）を入力するための感想入力画像（図４Ｄ〜図４Ｆ参照）を表示する。図４Ｄ〜図４Ｆにおいて、実施例１の感想入力画像では、設定可能な画質条件である明るさ及びカラーバランス（Ｙ，Ｍ，Ｃ，Ｋ）の５項目について、「濃かった」、「良かった」、「薄かった」の３段階で評価（感想）を入力可能になっている。また、実施例１の感想入力画像は、感想の入力が終了した場合に選択する「終了」アイコンを有している。実施例１の感想入力画像表示手段Ｃ６Ｅは、ユーザが選択キーＵＩ３の左右方向の入力を行うと、入力に応じて、前記感想入力画像において評価（「濃かった」、「良かった」、「薄かった」）の表示画像を変更する（図４Ｆ参照）。また、実施例１の感想入力画像表示手段Ｃ６Ｅは、選択キーＵＩ３の上下方向の入力がされると、入力に応じて感想を入力する項目（または終了アイコン）に移動させる。なお、実施例１の感想入力画像表示手段Ｃ６Ｅは、図４Ｄに示す感想入力画像でイエローの項目が選択された状態で、選択キーＵＩ３の下方向の入力がされると、図４Ｄに示す感想入力画像から図４Ｅに示す感想入力画像に表示を切り替える（画像をスクロールさせる）。
【００４８】
（実施例１のフローチャートの説明）
（プリント実行処理のフローチャートの説明）
図５は実施例１の画像形成装置のプリント実行処理のフローチャートである。
図５のフローチャートの各ＳＴ（ステップ）の処理は、前記コントローラＣのＲＯＭ等に記憶されたプログラムに従って行われる。また、この処理は画像形成装置Ｕの他の各種処理と並行してマルチタスクで実行される。
図５に示すフローチャートは画像形成装置Ｕの電源オンにより開始される。
【００４９】
図５のＳＴ１において、プリンタＰｒがプリントデータを受信したか否かを判別する。ノー（Ｎ）の場合はＳＴ１を繰り返し、イエス（Ｙ）の場合はＳＴ２に移る。
ＳＴ２おいて、受信したプリントデータに含まれるユーザ識別情報に対応するユーザ識別情報が登録ユーザ識別情報記憶手段Ｃ３Ａ１に登録されており、画像記録ユーザのユーザ識別情報に対応する画質設定情報が画質設定情報記憶手段Ｃ３Ａに記憶（登録）されているか否かを判別する。すなわち、画像記録ユーザのユーザ識別情報の検出を行う。イエス（Ｙ）の場合はＳＴ３に移り、ノー（Ｎ）の場合はＳＴ４に移る。
ＳＴ３において、登録されている画質設定情報に基づいて画像データのプリントを実行する。そして、ＳＴ５に移る。
【００５０】
ＳＴ４において、次の処理（１）、（２）を実行して、ＳＴ５に移る。
（１）受信したユーザ識別情報と、デフォルト画質設定情報とを、画質設定情報リストに登録する。
（２）デフォルト画質設定情報に基づいてプリントを実行する。
ＳＴ５において、プリント動作（画像記録動作）であるジョブが終了したか否かを判別する。ノー（Ｎ）の場合はＳＴ５を繰り返し、イエス（Ｙ）の場合はＳＴ６に移る。
ＳＴ６において、画像記録が終了したプリントデータのユーザ識別情報とデータ識別情報とを有するプリント履歴情報を、プリント履歴情報リストに登録する。そして、ＳＴ１に戻る。
【００５１】
（感想入力処理のフローチャートの説明）
図６は実施例１の画像形成装置の感想入力処理のフローチャートである。
図６のフローチャートの各ＳＴ（ステップ）の処理は、前記コントローラＣのＲＯＭ等に記憶されたプログラムに従って行われる。また、この処理は画像形成装置Ｕの他の各種処理と並行してマルチタスクで実行される。
図６に示すフローチャートは画像形成装置Ｕの電源オンにより開始される。
【００５２】
図６のＳＴ１１において、待機中画像（図４Ａ参照）を表示器ＵＩ１に表示する。そして、ＳＴ１２に移る。
ＳＴ１２において、感想入力開始ボタンＵＩ２の入力がされたか否かを判別する。ノー（Ｎ）の場合はＳＴ１３に移り、イエス（Ｙ）の場合はＳＴ１６に移る。
ＳＴ１３において、プリンタＰｒがプリントデータを受信してプリントが開始されたか否かを判別する。ノー（Ｎ）の場合はＳＴ１２に戻り、イエス（Ｙ）の場合はＳＴ１４に移る。
ＳＴ１４において、表示器ＵＩ１にプリント中画像（図４Ｂ参照）を表示する。そして、ＳＴ１５に移る。
ＳＴ１５において、プリント動作（ジョブ）が終了したか否かを判別する。ノー（Ｎ）の場合はＳＴ１５を繰り返し、イエス（Ｙ）の場合はＳＴ１１に戻る。
【００５３】
ＳＴ１６において、ユーザインタフェースＵＩの表示器ＵＩ１にプリント履歴情報画像（図４Ｃ参照）を表示する。そして、ＳＴ１７に移る。
ＳＴ１７において、キャンセルキーＵＩ５の入力がされたか否かを判別する。ノー（Ｎ）の場合はＳＴ１８に移り、イエス（Ｙ）の場合はＳＴ１１に戻る。
ＳＴ１８において、決定キーＵＩ４の入力がされたか否かを判別する。ノー（Ｎ）の場合はＳＴ１９に移り、イエス（Ｙ）の場合はＳＴ２１に移る。
ＳＴ１９において、選択キーＵＩ３の入力がされたか否かを判別する。イエス（Ｙ）の場合はＳＴ２０に移り、ノー（Ｎ）の場合はＳＴ１７に戻る。
ＳＴ２０において、選択キーＵＩ３の入力に応じてプリント履歴情報画像を更新する（スクロールさせる）。そして、ＳＴ１７に戻る。
【００５４】
ＳＴ２１において、次の処理（１）、（２）を実行する。そして、ＳＴ２２に移る。
（１）決定キーＵＩ４が入力された段階で選択されているユーザ識別情報に基づいて、感想入力ユーザのユーザ識別情報の検出を行う。
（２）ユーザインタフェースＵＩの表示器ＵＩ１に感想入力画像（図４Ｄ〜図４Ｆ参照）を表示する。
ＳＴ２２において、選択キーＵＩ３の入力がされたか否かを判別する。イエス（Ｙ）の場合はＳＴ２３に移り、ノー（Ｎ）の場合はＳＴ２４に移る。
【００５５】
ＳＴ２３において、選択キーＵＩ３の入力に応じて、感想入力画像を更新する（評価の移動や項目の移動、画像のスクロール）。そして、ＳＴ２２に移る。
ＳＴ２４において、感想入力画像において、終了アイコンを選択する入力がされたか否かを判別する。ノー（Ｎ）の場合はＳＴ２５に移り、イエス（Ｙ）の場合はＳＴ２６に移る。
ＳＴ２５において、キャンセルキーＵＩ５の入力がされたか否かを判別する。イエス（Ｙ）の場合はＳＴ１６に戻り、ノー（Ｎ）の場合はＳＴ２２に戻る。
【００５６】
ＳＴ２６において、次の処理（１）、（２）を実行して、ＳＴ１１に戻る。
（１）画質設定情報リストに登録されている感想入力ユーザのユーザ識別情報に対応する画質設定情報を、感想入力画像で入力された感想（評価）に応じて、更新する。実施例１のプリンタＰｒでは、感想入力画像で「濃かった」が選択されると、その画質条件を現在の設定から「−１」変更し、「薄かった」が選択されると、その画質条件を現在の設定から「＋１」変更する。また、「良かった」が選択されると画質条件を変更しない。なお、画質条件の設定が「−５」の状態で「濃かった」が選択されたり、「＋５」の状態で「薄かった」が選択された場合、画質条件の設定を変更しない。
（２）プリント履歴情報リストから感想入力ユーザのユーザ識別情報とデータ識別情報とを削除する。
【００５７】
（実施例１の作用）
前記構成を備えた実施例１のプリンタＰｒ（画像形成装置）では、プリントデータを送信したユーザをユーザ識別情報により判別し、既に登録されている場合には、登録された画質設定情報に基づいてプリントが実行される。ユーザが登録されていない場合にはデフォルト画質設定情報に基づいてプリントが実行される。プリント終了後は、プリント履歴情報リストに、ユーザ識別情報及びファイル名からなるプリント履歴情報が登録される。したがって、プリント履歴情報が登録されているので、プリンタＰｒの排紙トレイＴＲｈ１、ＴＲｈ２に積載された記録用紙をユーザが取り出しに来た時に、ユーザが、自分のユーザ識別情報やファイル名（データ識別情報）を確認して、自分の感想を入力することができる。すなわち、ユーザが取り出した記録用紙を見て、画質に対する感想を持った時点で、感想を入力することができ、感想に応じて画質条件の設定を更新できる。また、取り出しに来た時に感想を入力しなくても、プリント履歴情報が残っているので、後から感想を入力することもできる。そして、次回のプリント時には、入力された感想に応じて更新された画質設定情報に基づいてプリントが実行される。
【００５８】
したがって、実施例１のプリンタＰｒでは、ユーザの評価がフィードバックされて、自動的に次回のプリントに反映されるので、ユーザが満足する画質の印刷結果を得られる可能性が高く、画質設定を忘れて同じ間違いを繰り返し、ユーザが満足しない画質でプリントされることを低減できる。また、実施例１の画像形成システムでは、各ユーザ毎に画質設定情報が管理されているので、複数のユーザが使用可能なプリンタＰｒにおいて、好みの異なる各ユーザが、それぞれ満足できる画質の印刷結果を容易に得ることができる。
【実施例２】
【００５９】
次に、本発明の実施例２を説明するが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００６０】
図７は、実施例２の画像形成装置としての複写機の斜視説明図である。
図７において、実施例２の画像形成装置としての複写機Ｕは、画像形成装置本体Ｕ１および画像形成装置本体Ｕ１上面に設置された自動原稿搬送装置Ｕ２とを有している。前記自動原稿搬送装置Ｕ２は、その後端部（−Ｘ端部）に設けた左右方向に延びるヒンジ軸（図示せず）により画像形成装置本体Ｕ１上面のプラテンガラス（図示せず）上面に対して回動可能であり、ユーザが原稿を手でプラテンガラス上に置く場合に上方に回動される。
【００６１】
前記画像形成装置本体Ｕ１は、ＵＩ（ユーザインタフェース）と、自動原稿搬送装置Ｕ２で搬送された原稿を読取るＩＩＴ（イメージインプットターミナル、スキャナ部、原稿読取装置）と、前記ＩＩＴで読取られた原稿画像データを記録用紙に記録するＩＯＴ（イメージアウトプットターミナル、プリンタ部）とを有している。
前記ＩＯＴ上面には上方のＩＩＴとの間にシート排出トレイＴＲｈが設けられており、ＩＯＴの下部には給紙トレイＴＲ１〜ＴＲ４が挿抜可能に装着されている。
図７において、前記ユーザインタフェースＵＩは、無線タグ（非接触型ＩＣ、ＲＦＩＤ：Radio Frequency Identification）に記録された情報を読取可能なカード読取装置（ユーザ識別情報読取部材、設定識別情報読取部材）Ｕ４を有している。したがって、ユーザ識別情報が記録された無線タグを内蔵する社員証等のＩＤカード（ユーザ識別情報記録部材、設定識別情報記録部材）ＩＤＣをカード読取装置（カードリーダ）Ｕ４に接近させると、前記カード読取装置Ｕ４はＩＤカードＩＤＣのユーザ識別情報を読み取るように構成されている。
【００６２】
（実施例２の画像形成装置の機能の説明）
図８は、実施例２の画像形成装置の機能をブロック図（機能ブロック図）で示した図である。
次に、実施例２の複写機Ｕの機能の説明を行うが、実施例１と同様の機能（制御手段等）については、同一の符号を付し、詳細な説明は省略する。
図８において、ユーザインタフェースＵＩは、表示器ＵＩ１や各入力キーＵＩ２〜ＵＩ５に加え、複写や原稿画像の読取（スキャン）を開始するためのコピースタートキーＵＩ６を有する。また、実施例２の複写機ＵのコントローラＣには、カード読取装置Ｕ４の出力信号が入力され、カード読取装置Ｕ４が読み取ったユーザ識別情報がコントローラＣに入力される。
【００６３】
（コントローラＣの機能）
図８において、実施例２の前記コントローラＣは、実施例１のコントローラＣと比べ、データ受信手段Ｃ１の替わりに読取ユーザ識別情報記憶手段Ｃ１１と、読取画像データ記憶手段Ｃ１２を有している。また、実施例２のコントローラＣは、画像記録ユーザ検出手段Ｃ２に替えて、画像記録ユーザ検出手段Ｃ２′を有している。
Ｃ１１：読取ユーザ識別情報記憶手段
読取ユーザ識別情報記憶手段Ｃ１１は、前記カード読取装置Ｕ４で読み取ったユーザ識別情報を記憶する。
Ｃ１２：読取画像データ記憶手段
読取画像データ記憶手段Ｃ１２は、ＩＩＴ（原稿読取装置、スキャナ部）で読み取った原稿画像の画像データを記憶する。
Ｃ２′：画像記録ユーザ検出手段（画像記録設定識別情報検出手段）
画像記録ユーザＣ２′は、画像記録（コピー）を行う画像記録ユーザのユーザ識別情報を検出する。実施例２の画像記録ユーザ検出手段Ｃ２′は、カード読取装置Ｕ４で読み取ったユーザ識別情報が、登録ユーザ識別情報記憶手段Ｃ３Ａ１に記憶（登録）されているかを検出する。
【００６４】
（実施例２のフローチャートの説明）
次に実施例２のフローチャートの説明を行うが、実施例１のフローチャートの処理と同一の処理には、同一のＳＴ番号を付し、詳細な説明を省略する。
なお、実施例２の感想入力処理は、実施例１の感想入力処理と同様の処理なので、説明は省略する。
（プリント実行処理のフローチャートの説明）
図９は実施例２の画像形成装置のプリント実行処理のフローチャートであり、実施例１の図４に対応するフローチャートである。
図９のフローチャートの各ＳＴ（ステップ）の処理は、前記コントローラＣのＲＯＭ等に記憶されたプログラムに従って行われる。また、この処理は画像形成装置Ｕの他の各種処理と並行してマルチタスクで実行される。
図９に示すフローチャートは画像形成装置Ｕの電源オンにより開始される。
【００６５】
図９のＳＴ３１において、カード読取装置Ｕ４によりユーザ識別情報を読み取ったか否かを判別する。イエス（Ｙ）の場合はＳＴ３２に移り、ノー（Ｎ）の場合はＳＴ３３に移る。
ＳＴ３２において、コピースタートキーＵＩ６の入力がされたか否かを判別する。ノー（Ｎ）の場合はＳＴ３２を繰り返し、イエス（Ｙ）の場合はＳＴ２に移る。そして、前記ＳＴ２〜ＳＴ６の処理を実行し、コピー動作（プリント動作）を実行して、ＳＴ１に戻る。
ＳＴ３３において、ユーザ識別情報を読み取っていない状態でコピースタートキーＵＩ６の入力がされたか否かを判別する。ノー（Ｎ）の場合はＳＴ３１に戻り、イエス（Ｙ）の場合はＳＴ３４に移る。
ＳＴ３４において、デフォルト画質設定情報に基づいてプリント（コピー動作）を実行する。そして、ＳＴ１に戻る。
【００６６】
（実施例２の作用）
前記構成を備えた実施例２の複写機（画像形成装置）Ｕでは、実施例１のようにローカルネットワークＬＮ経由で送信されたユーザ識別情報により画像記録ユーザのユーザ識別情報を検出するのではなく、ユーザが携帯可能なＩＤカードＩＤＣからカード読取装置Ｕ４で読み取ったユーザ識別情報に基づいて画像記録ユーザのユーザ識別情報を検出する。その他、実施例２の複写機Ｕは、実施例１のプリンタＰｒと同様の作用効果を奏する。
なお、実施例２の複写機Ｕでは、ユーザ識別情報を読み取らない状態でコピースタートキーの入力があった場合、ユーザ識別情報の検出は行わず、デフォルト画質設定情報に基づいてプリントが実行される（ＳＴ３３，ＳＴ３４参照）。
【産業上の利用可能性】
【００６７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ09）を下記に例示する。
（Ｈ01）本発明は、プリンタや複写機に限定されず、ＦＡＸ、複合機等の画像形成装置に適用可能である。また、電子写真方式の画像形成装置に限定されず、インクジェット記録方式等の画像形成装置にも適用可能である。さらに、カラーの画像形成装置に限定されず、モノクロの画像形成装置にも適用可能である。
【００６８】
（Ｈ02）前記実施例において、感想を入力して設定可能な画質条件として、明るさとカラーバランスを例示したが、これに限定されず、シャープネス等の他の画質条件を設定可能とすることも可能である。
（Ｈ03）前記実施例において、ユーザが選択可能な感想は「濃かった」、「良かった」、「薄かった」の３つであったが、これに限定されず、例えば、濃度（明るさ）の評価を「裏映りがした」、「良かった」、「見えにくい」のような表示で評価することも可能である。また、選択肢は３つに限定されず、「良かった」、「悪かった」あるいは「読みやすい」、「読みにくい」の２つにして、評価が「良かった」、「読みやすい」の場合は設定を変更せず、「悪かった」、「読みにくい」の場合は、ランダムで＋１または−１して、２回連続で「悪かった」等と評価された場合、前回とは逆の方向に−２または＋２とすることも可能である。また、例えば、選択肢を５つに増やして、「濃すぎた」、「濃かった」、「良かった」、「薄かった」、「薄すぎた」とし、「濃すぎた」または「薄すぎた」と評価された場合、画質条件を「−２」または「＋２」することも可能である。
【００６９】
（Ｈ04）前記実施例において、ネットワーク経由または無線タグでユーザ識別情報を得たが、他にも、ユーザ識別情報を記録したカードをカードリーダに挿入したり、カードリーダの読取り部を通過させてユーザ識別情報を得たり、バーコードリーダを使用してバーコードやＱＲコード（２次元バーコード）からユーザ識別情報を得るように構成することも可能である。
（Ｈ05）前記実施例において、画質条件は−５〜＋５の間の１１段階であったが、これに限定されず、例えば、＋１、０、−１の３段階としたり、２５段階等、任意の段階で調節可能とすることも可能である。
【００７０】
（Ｈ06）前記実施例において、プリント履歴情報リストには、画像記録が終了するとプリント履歴情報が順次登録され、感想が入力されるまでリストから消去されないが、これに限定されず、例えば、最近１０回のプリント履歴情報を記憶し、画像記録が終了すると、１番過去のプリント履歴情報をリストから消去し、最新のプリント履歴情報をリストに登録するように構成することも可能である。また、同一のユーザ識別情報が複数ある場合は、最新のプリント履歴情報のみを残し、過去の同じユーザ識別情報のプリント履歴情報を消去するように構成することも可能である。
（Ｈ07）前記実施例において、プリント履歴情報リストには、ユーザ識別情報とファイル名を表示したが、これに限定されず、ユーザ識別情報またはファイル名のみとしたり、他の情報（例えば、プリント日時やプリント枚数等）を表示することができる。すなわち、ユーザがプリント履歴情報リストを見た時に、自分のプリント履歴情報を認識可能な情報であれば、任意の情報を使用することが可能である。
【００７１】
（Ｈ08）前記実施例２において、感想入力ユーザを検出する場合に、実施例１と同様にプリント履歴情報画像への入力により検出を行ったが、これに限定されず、例えば、感想を入力するユーザは、複写機Ｕの前にいるので、カード読取装置Ｕ４により読み取ったユーザ識別情報に基づいて、感想入力ユーザのユーザ識別情報を検出するように構成することも可能である。
（Ｈ09）前記実施例において、設定識別情報としてユーザを特定するユーザ識別情報を使用したが、これに限定されず、一人のユーザに対して複数の設定識別情報を設定可能に構成することも可能である。例えば、実施例１において、「ＵｓｅｒＡ」に対して、「文書印刷用設定」と「写真印刷用設定」を設定し、「ＵｓｅｒＡ」が画像記録を行う際に「文書印刷用設定」（または「写真印刷用設定」）を選択すると、画像形成装置Ｐｒに対して、「ＵｓｅｒＡ（文書）」（または「ＵｓｅｒＡ（写真）」）という設定識別情報を送信して、これに基づいて画像記録部材Ｐｒ１を制御することも可能である。すなわち、画像形成装置Ｐｒでは、「ＵｓｅｒＡ（文書）」と「ＵｓｅｒＡ（写真）」の２つの設定識別情報それぞれに対応させて画質設定情報を記憶している。また、設定識別情報として、１つの情報（例えば、「ＵｓｅｒＡ（文書）」または「ＵｓｅｒＡ（写真）」）ではなく、ユーザ識別情報と他の情報とを組み合わせた情報（例えば、「ＵｓｅｒＡ」＋「文書印刷用設定」または「ＵｓｅｒＡ」＋「写真印刷用設定」）を使用することも可能である。
【図面の簡単な説明】
【００７２】
【図１】図１は本発明の画像形成システムの実施例１の説明図である。
【図２】図２は前記図１に示す画像形成システムのクライアントパソコンの機能をブロック図（機能ブロック図）で示した図である。
【図３】図３は前記図１に示す実施例１の画像形成システムのプリンタの機能をブロック図（機能ブロック図）で示した図である。
【図４】図４は実施例１の表示器に表示される画像の説明図であり、図４Ａは待機中画像の説明図、図４Ｂはプリント中画像の説明図、図４Ｃはプリント履歴情報画像の説明図、図４Ｄは感想入力画像の説明図、図４Ｅは図４Ｄの感想入力画像をスクロールさせた状態の説明図、図４Ｆは図４Ｄの感想入力画像においてユーザが感想を入力した状態の説明図である。
【図５】図５は実施例１の画像形成装置のプリント実行処理のフローチャートである。
【図６】図６は実施例１の画像形成装置の感想入力処理のフローチャートである。
【図７】図７は、実施例２の画像形成装置としての複写機の斜視説明図である。
【図８】図８は、実施例２の画像形成装置の機能をブロック図（機能ブロック図）で示した図である。
【図９】図９は実施例２の画像形成装置のプリント実行処理のフローチャートであり、実施例１の図４に対応するフローチャートである。
【符号の説明】
【００７３】
Ｃ１…データ受信手段、
Ｃ１Ｂ…画像データ受信手段、
Ｃ２，Ｃ２′…画像記録設定識別情報検出手段、
Ｃ３Ａ…画質設定情報記憶手段、
Ｃ３Ｂ…デフォルト画質設定情報記憶手段、
Ｃ３Ｄ…画質設定情報更新手段、
Ｃ４…記録部材制御手段、
Ｃ５Ａ…画像記録履歴情報記憶手段、
Ｃ６Ｃ…画像記録履歴情報表示手段、
Ｃ６Ｄ…感想入力設定識別情報検出手段、
ＩＤＣ…ユーザ識別情報記録部材、
ＬＮ…ネットワーク、
ＰＣ１，ＰＣ２，ＤＢＳ，ＷＳ…情報処理装置、
ＰＤ３…データ送信手段、
Ｐｒ，Ｕ…画像形成装置、
Ｐｒ１…画像記録部材、
ＵＩ２，ＵＩ３，ＵＩ４，ＵＩ５…感想入力部材、
Ｕ４…ユーザ識別情報読取部材。
【図１】
2006088547.tif 000003
【図２】
2006088547.tif 000004
【図３】
2006088547.tif 000005
【図４】
2006088547.tif 000006
【図５】
2006088547.tif 000007
【図６】
2006088547.tif 000008
【図７】
2006088547.tif 000009
【図８】
2006088547.tif 000010
【図９】
2006088547.tif 000011